(57)【要約】      （修正有）【課題】ユーザーの購買意欲を掻き立てるような希少な機会に即座に対応して、新たな収益機会を創出すると共に、予め製品を用意する場合に生じ易い在庫リスクを低減させる画像形成システムを提供する。【解決手段】画像形成システムは、イベント説明情報を記憶するイベント情報記憶手段と、画像形成の依頼をユーザーから受け付ける依頼受付手段と、画像形成する情報をイベント説明情報から抽出する画像形成内容抽出手段と、イベント説明情報に関する項目と、画像形成用の媒体において画像形成する情報の位置識別情報と、を対応付けて記憶する項目位置記憶手段と、画像形成する項目に基づいて、画像形成する情報に関する位置識別情報を抽出する項目位置抽出手段と、イベント会場の周辺に設置される移設可能な画像形成装置において、画像形成する情報に関する位置識別情報で表される位置へ、画像形成する情報の画像形成を行う画像形成手段を有する。【選択図】図２
2020194308.tif 000002
【特許請求の範囲】
【請求項１】
画像形成装置と、前記画像形成装置へ画像形成の指示を行う第１サーバー装置と、前記第１サーバー装置へ前記画像形成の内容を通知する第２サーバー装置と、を含む画像形成システムであって、
前記第２サーバー装置が、
スポーツの試合・大会を含むイベントを説明する情報であるイベント説明情報を記憶するイベント情報記憶手段と、
前記画像形成の項目を含む前記画像形成の依頼をユーザーから受け付ける依頼受付手段と、
前記画像形成の項目に対応する情報を前記イベント説明情報から抽出する画像形成内容抽出手段と、
前記画像形成の項目及び該項目に対応する情報を前記第１サーバー装置へ通知する画像形成内容通知手段と、を有し、
前記第１サーバー装置が、
前記イベント説明情報に関する項目と、前記画像形成を行う媒体上において前記項目に対応する情報を配置させる位置を表す位置識別情報と、を対応付けて記憶する項目位置記憶手段と、
前記画像形成の項目に基づいて、前記画像形成の項目に対応する情報に関する前記位置識別情報を前記項目位置記憶手段から抽出する項目位置抽出手段と、
前記画像形成の項目に対応する情報及び該情報に関する前記位置識別情報を前記画像形成装置へ通知する画像形成指示手段と、を有し、
前記イベント会場の周辺に設置される移設可能な前記画像形成装置が、
前記画像形成の項目に対応する情報に関する前記位置識別情報で表される前記媒体上の位置へ、前記画像形成の項目に対応する情報に関する前記画像形成を行う画像形成手段を有することを特徴とする画像形成システム。
【請求項２】
前記第２サーバー装置が、
前記ユーザーを識別するユーザー識別情報と、前記イベントにおける前記ユーザーに関わる情報であるユーザー個別情報と、を関連付けて記憶するユーザー情報記憶手段を有し、
前記依頼受付手段が、前記ユーザー識別情報及び前記画像形成の項目を含む前記画像形成の依頼を受け付け、
前記画像形成内容抽出手段が、前記ユーザー識別情報に基づいて、前記画像形成の項目に対応する情報を前記イベント情報記憶手段及び前記ユーザー情報記憶手段から抽出し、
前記項目位置記憶手段において、前記イベント情報記憶手段及び前記ユーザー情報記憶手段に記憶される情報に関する項目と、前記位置識別情報と、が対応付けて記憶されることを特徴とする請求項１に記載の画像形成システム。
【請求項３】
前記依頼受付手段が、前記画像形成の項目及び該項目に対応する情報を前記媒体上において配置させる位置を含む前記画像形成の依頼を受け付け、
前記画像形成内容通知手段が、前記画像形成の項目、該項目に対応する情報及び該情報を前記媒体上において配置させる位置を前記第１サーバー装置へ通知し、
前記画像形成指示手段が、前記画像形成の項目に対応する情報及び該情報に関する前記媒体上において配置させる位置を前記画像形成装置へ通知し、
前記画像形成手段が、前記画像形成の項目に対応する情報を前記媒体上において配置させる位置へ、前記画像形成の項目に対応する情報に関する前記画像形成を行うことを特徴とする請求項１又は２に記載の画像形成システム。
【請求項４】
前記ユーザー個別情報が、前記イベントにおける前記ユーザーの成績又は前記イベントにおいて前記ユーザーに割り当てられる座席の識別情報であることを特徴とする請求項２に記載の画像形成システム。
【請求項５】
前記媒体が、被服であることを特徴とする請求項１乃至４の何れか一に記載の画像形成システム。
【請求項６】
画像形成装置と、前記画像形成装置へ画像形成の指示を行う第１サーバー装置と、前記第１サーバー装置へ前記画像形成の内容を通知する第２サーバー装置と、を含む画像形成システムにおける画像形成方法であって、
スポーツの試合・大会を含むイベントを説明する情報であるイベント説明情報を記憶するイベント情報記憶手段を有する前記第２サーバー装置において、
依頼受付手段が、前記画像形成の項目を含む前記画像形成の依頼をユーザーから受け付けるステップと、
画像形成内容抽出手段が、前記画像形成の項目に対応する情報を前記イベント説明情報から抽出するステップと、
画像形成内容通知手段が、前記画像形成の項目及び該項目に対応する情報を前記第１サーバー装置へ通知するステップと、を含み、
前記イベント説明情報に関する項目と、前記画像形成を行う媒体上において前記項目に対応する情報を配置させる位置を表す位置識別情報と、を対応付けて記憶する項目位置記憶手段を有する前記第１サーバー装置において、
項目位置抽出手段が、前記画像形成の項目に基づいて、前記画像形成の項目に対応する情報に関する前記位置識別情報を前記項目位置記憶手段から抽出するステップと、
画像形成指示手段が、前記画像形成の項目に対応する情報及び該情報に関する前記位置識別情報を前記画像形成装置へ通知するステップと、を含み、
前記イベント会場の周辺に設置される移設可能な前記画像形成装置において、
画像形成手段が、前記画像形成の項目に対応する情報に関する前記位置識別情報で表される前記媒体上の位置へ、前記画像形成の項目に対応する情報に関する前記画像形成を行うステップを含むことを特徴とする画像形成方法。
【請求項７】
前記第２サーバー装置が、前記ユーザーを識別するユーザー識別情報と、前記イベントにおける前記ユーザーに関わる情報であるユーザー個別情報と、を関連付けて記憶するユーザー情報記憶手段を有し、
前記依頼受付手段が、前記ユーザー識別情報及び前記画像形成の項目を含む前記画像形成の依頼を受け付け、
前記画像形成内容抽出手段が、前記ユーザー識別情報に基づいて、前記画像形成の項目に対応する情報を前記イベント情報記憶手段及び前記ユーザー情報記憶手段から抽出し、
前記項目位置記憶手段において、前記イベント情報記憶手段及び前記ユーザー情報記憶手段に記憶される情報に関する項目と、前記位置識別情報と、が対応付けて記憶されることを特徴とする請求項６に記載の画像形成方法。
【請求項８】
前記依頼受付手段が、前記画像形成の項目及び該項目に対応する情報を前記媒体上において配置させる位置を含む前記画像形成の依頼を受け付け、
前記画像形成内容通知手段が、前記画像形成の項目、該項目に対応する情報及び該情報を前記媒体上において配置させる位置を前記第１サーバー装置へ通知し、
前記画像形成指示手段が、前記画像形成の項目に対応する情報及び該情報に関する前記媒体上において配置させる位置を前記画像形成装置へ通知し、
前記画像形成手段が、前記画像形成の項目に対応する情報を前記媒体上において配置させる位置へ、前記画像形成の項目に対応する情報に関する前記画像形成を行うことを特徴とする請求項６又は７に記載の画像形成方法。
【請求項９】
前記ユーザー個別情報が、前記イベントにおける前記ユーザーの成績又は前記イベントにおいて前記ユーザーに割り当てられる座席の識別情報であることを特徴とする請求項７に記載の画像形成方法。
【請求項１０】
前記媒体が、被服であることを特徴とする請求項６乃至９の何れか一に記載の画像形成方法。
【発明の詳細な説明】
【技術分野】
【０００１】
被服などの媒体上に画像を形成する技術に関する。
【背景技術】
【０００２】
印刷サービスのコモディティ化が進展し、また、情報通信技術の発展に伴う紙面印刷の需要減少によって、伝統的な印刷サービスを提供する事業者の収益見通しは厳しいものがある。
【０００３】
そうした背景下、印刷業者の収益拡大には、市場のニーズを捉えてサービスの質の向上を図り、また、同業他社とは異なる優れた戦略を採用することによって、提供するサービスのコモディティ化を避け、新たな収益機会を獲得することが重要である。
【発明の概要】
【発明が解決しようとする課題】
【０００４】
従来、印刷サービスは、印刷工場等固定化された場所で提供する形態が多く、また、事前に決められたコンテンツを媒体上に印刷するという形態が多く、散在する地点において散発的に発生する顧客のニーズに適時に対応することが難しいという問題点があった。
【０００５】
そこで本発明では、上記問題点に鑑み、ユーザーの購買意欲を掻き立てるような希少な機会に即座に対応して、新たな収益機会を創出すると共に、予め製品を用意する場合に生じ易い在庫リスクを低減させる画像形成システムを提供することを目的とする。
【課題を解決するための手段】
【０００６】
開示する画像形成システムの一形態は、画像形成装置と、前記画像形成装置へ画像形成の指示を行う第１サーバー装置と、前記第１サーバー装置へ前記画像形成の内容を通知する第２サーバー装置と、を含む画像形成システムであって、前記第２サーバー装置が、スポーツの試合・大会を含むイベントを説明する情報であるイベント説明情報を記憶するイベント情報記憶手段と、前記画像形成の項目を含む前記画像形成の依頼をユーザーから受け付ける依頼受付手段と、前記画像形成の項目に対応する情報を前記イベント説明情報から抽出する画像形成内容抽出手段と、前記画像形成の項目及び該項目に対応する情報を前記第１サーバー装置へ通知する画像形成内容通知手段と、を有し、前記第１サーバー装置が、前記イベント説明情報に関する項目と、前記画像形成を行う媒体上において前記項目に対応する情報を配置させる位置を表す位置識別情報と、を対応付けて記憶する項目位置記憶手段と、前記画像形成の項目に基づいて、前記画像形成の項目に対応する情報に関する前記位置識別情報を前記項目位置記憶手段から抽出する項目位置抽出手段と、前記画像形成の項目に対応する情報及び該情報に関する前記位置識別情報を前記画像形成装置へ通知する画像形成指示手段と、を有し、前記イベント会場の周辺に設置される移設可能な前記画像形成装置が、前記画像形成の項目に対応する情報に関する前記位置識別情報で表される前記媒体上の位置へ、前記画像形成の項目に対応する情報に関する前記画像形成を行う画像形成手段を有することを特徴とする。
【発明の効果】
【０００７】
開示する画像形成システムは、ユーザーの購買意欲を掻き立てるような希少な機会に即座に対応して、新たな収益機会を創出すると共に、予め製品を用意する場合に生じ易い在庫リスクを低減させる。
【図面の簡単な説明】
【０００８】
【図１】本実施の形態に係る画像形成システムの概要を説明する図である。
【図２】本実施の形態に係る画像形成システムの機能ブロック図である。
【図３】本実施の形態に係るイベント情報記憶手段の一例を示す図である。
【図４】本実施の形態に係るユーザー情報記憶手段の一例を示す図である。
【図５】本実施の形態に係る項目位置記憶手段の一例を示す図である。
【図６】本実施の形態に係る画像形成される媒体の一例を示す図である。
【図７】本実施の形態に係る画像形成される媒体の一例を示す図である。
【図８】本実施の形態に係る第１サーバー装置のハードウエア構成例を示す図である。
【図９】本実施の形態に係る第２サーバー装置のハードウエア構成例を示す図である。
【図１０】本実施の形態に係る画像形成装置のハードウエア構成例を示す図である。
【図１１】本実施の形態に係る画像形成システムによる画像形成処理の流れを示すフローチャートである。
【発明を実施するための形態】
【０００９】
図面を参照しながら、本発明を実施するための形態について説明する。
（本実施の形態に係る画像形成システムの動作原理）
【００１０】
図１乃至７を用いて、本実施の形態に係る画像形成システム１００の動作原理について説明する。図１で示すように、画像形成システム１００は、第１サーバー装置１１０、第２サーバー装置１２０、画像形成装置１３０を含み、第１サーバー装置１１０は、第２サーバー装置１２０及び画像形成装置１３０と接続される。なお、第１サーバー装置１１０及び第２サーバー装置１２０が一体化している形態並びに第１サーバー装置１１０及び画像形成装置１３０が一体化している形態も、画像形成システム１００の一形態として許容される。
【００１１】
画像形成システム１００は、スポーツ等のイベント２５０の会場の周辺で移設可能に設置される画像形成装置１３０において、イベント２５０に関する特徴的な情報やイベント２５０に参加したユーザー３１０独自の情報を媒体２７０上に画像形成させる。イベント２５０に関する特徴的な情報とは、例えば、イベント２５０の名称・開催日時・開催場所・開催内容等の情報であり、ユーザー３１０独自の情報とは、例えば、イベント２５０においてユーザー３１０に割り当てられた座席、スポーツイベント２５０におけるユーザー３１０の成績（勝敗、タイム、対戦相手等）等の情報である。また、媒体２７０は、画像形成装置１３０によって画像形成が可能なものであれば特に限定されないが、例えば、Ｔシャツ等の被服、マグカップ等の食器、トートバッグ等の鞄類である。
【００１２】
上記のように、画像形成システム１００は、イベント２５０の会場近くで、ユーザー３１０の購買意欲を掻き立てる希少な機会に関連するデザインとして、イベント２５０に参加した記念となる情報を掲載した媒体２７０の製造・販売を行うことによって、新たなビジネスの機会を創出する。また、画像形成システム１００は、イベント２５０の会場近くでユーザー３１０の発注に応じて製品２７０を即時作成するため、機会損失を小さくできることに加え、売れ筋商品の偏りに伴う在庫リスクも小さくする。
【００１３】
図２で示すように、画像形成システム１００は、第１サーバー装置１１０、第２サーバー装置１２０、画像形成装置１３０を有する。第２サーバー装置１２０は、イベント情報記憶手段１４０、ユーザー情報記憶手段１５０、依頼受付手段１６０、画像形成内容抽出手段１７０、画像形成内容通知手段１８０を有する。
【００１４】
イベント情報記憶手段１４０は、スポーツの試合・大会を含むイベント２５０を説明する情報であるイベント説明情報２６０を記憶する。イベント２５０は、これ以外にも、例えば、アイドルの握手会、コンサート、博覧会等、特に対象は限定されない。イベント説明情報２６０は、例えば、イベント２５０の名称、開催地、開催日、内容、結果等を説明する情報であり、記憶される内容・態様は特に限定されない。
【００１５】
図３は、イベント情報記憶手段１４０に記憶される情報の一例を示す図である。図３で示すように、イベント情報記憶手段１４０は、例えば、イベント名称：プロ野球公式戦  開幕戦、開催場所：横浜、開催日時：２０１９年３月２９日、プレイヤー１（対戦チーム、ホーム）：ベイスターズ、プレイヤー２（対戦チーム、ビジター）：ドラゴンズ、スコア１（プレイヤー１の得点）：８、スコア２（プレイヤー２の得点）：１等の情報を記憶する。
【００１６】
また、イベント情報記憶手段１４０は、例えば、イベント名称：東京マラソン２０１９、開催場所：東京、開催日時：２０１９年３月３日、プレイヤー１（男子の優勝者）：ビルハヌ・レゲセ、プレイヤー２（女子の優勝者）：ルティ・アガ、スコア１（男子優勝者のタイム）：２時間４分４８秒、スコア２（女子優勝者のタイム）：２時間２０分４０秒、その他１（スタート地点）：東京都庁、その他２（ゴール地点）：東京駅前・行幸通り等の情報を記憶する。
【００１７】
ユーザー情報記憶手段１５０は、ユーザー３１０を識別するユーザー識別情報３２０と、イベント２５０におけるユーザー３１０に関わる情報であるユーザー個別情報３３０と、を関連付けて記憶する。ユーザー３１０は、画像形成が施された媒体２７０（製品）を購入する者が想定される。ユーザー個別情報３３０は、例えば、ユーザー３１０の氏名、性別、イベント２５０における成績（タイム）等であり、内容・記憶態様は特に限定されない。
【００１８】
図４は、ユーザー情報記憶手段１５０に記憶される情報の一例を示す図である。図４で示すように、ユーザー情報記憶手段１５０は、例えば、ユーザー識別情報３２０：ＡＢＣ１２３４、ユーザー３１０の氏名：佐藤一男、ユーザー３１０のイベント２５０における成績（タイム）：３時間２９分４５秒等の情報を記憶する。
【００１９】
依頼受付手段１６０は、ユーザー識別情報３２０及び画像形成装置１３０に媒体２７０上に画像形成させる項目２８０を含む画像形成の依頼をユーザー３１０から受け付ける。項目２８０は、例えば、イベント２５０の名称、開催場所、開催日時、プレイヤー、スコア、ユーザー２５０の氏名、成績等、イベント情報記憶手段１４０及びユーザー情報記憶手段１５０に記憶される情報の項目（ラベル、見出し）を識別する情報である。
【００２０】
依頼受付手段１６０は、項目２８０と、項目２８０に対応する情報２９０を媒体２７０上において配置させる位置３００と、を含む画像形成の依頼を受け付ける形態としても良い。ユーザー２５０が媒体２７０上の配置デザインを行う構成である。
【００２１】
画像形成内容抽出手段１７０は、項目２８０に対応する情報２９０を、イベント情報記憶手段１４０のイベント説明情報２６０及びユーザー情報記憶手段１５０のユーザー個別情報３３０から抽出する。画像形成内容抽出手段１７０は、ユーザー識別情報３２０に基づいて、項目２８０に対応する情報２９０をユーザー情報記憶手段１５０のユーザー個別情報３３０から抽出する。
【００２２】
図２及び３で示すように、情報２９０は、項目２８０に対応する項目値であり、画像形成内容抽出手段１７０は、項目２８０：“イベント名称”に対応する情報２９０として、例えば、“プロ野球公式戦  開幕戦”、“プロ野球公式戦  第２戦”、“東京マラソン２０１９”を抽出する。また、画像形成内容抽出手段１７０は、例えば、ユーザー識別情報３２０：“ＡＢＣ１２３４”に基づいて、項目２８０：“ユーザー名”に対応する情報２９０として、例えば、“佐藤一男”、項目２８０：“成績１”に対応する情報２９０として、“３時間２９分４５秒”を抽出する。
【００２３】
画像形成内容通知手段１８０は、項目２８０と、画像形成内容抽出手段１７０によって抽出された項目２８０に対応する情報２９０と、を第１サーバー装置１１０へ通知する。
【００２４】
また、画像形成内容通知手段１８０は、項目２８０と、項目２８０に対応する情報２９０と、情報２９０を媒体２７０上において配置させる位置３００と、を第１サーバー装置１１０へ通知する形態としても良い。ユーザー２５０が媒体２７０上の配置デザインを行う構成である。
図２で示すように、第１サーバー装置１１０は、項目位置記憶手段１９０、項目位置抽出手段２００、画像形成指示手段２１０を有する。
【００２５】
項目位置記憶手段１９０は、イベント説明情報２６０及びユーザー個別情報３３０に関する項目２８０と、媒体２７０上において項目２８０に対応する情報２９０を配置させる位置を表す位置識別情報３００と、を対応付けて記憶する。なお、位置識別情報３００の規定方法は、画像形成装置１３０に画像形成位置を明確に指示できる方法であれば、その形式・形態は特に限定されない。
【００２６】
図５は、項目位置記憶手段１９０に記憶される情報の一例を示す図である。図５で示すように、項目位置記憶手段１９０は、例えば、項目２８０：“開催日時”、“プレイヤー１”、“プレイヤー２”、“スコア１”、“スコア２”それぞれに対し、位置識別情報３００：“背中上部”、“背中中央最右”、“背中中央最左”、“背中中央右”、“背中中央左”とそれぞれ記憶する。
【００２７】
また、項目位置記憶手段１９０は、例えば、項目２８０：“イベント名称”、“開催日時”、“ユーザー名”、“成績１”それぞれに対し、位置識別情報３００：“前面上部”、“全面中央”、“背中上部”、“背中中央”とそれぞれ記憶する。
【００２８】
項目位置抽出手段２００は、画像形成内容通知手段１８０によって通知される項目２８０に基づいて、項目２８０に対応する情報２９０に関する位置識別情報３００を項目位置記憶手段１９０から抽出する。
【００２９】
図５で示すように、例えば、画像形成内容通知手段１８０によって項目２８０：“開催日時”、“プレイヤー１”、“プレイヤー２”、“スコア１”、“スコア２”が通知される場合、項目位置抽出手段２００は、項目位置記憶手段１９０から、項目２８０に対応する位置識別情報３００：“背中上部”、“背中中央最右”、“背中中央最左”、“背中中央右”、“背中中央左”を抽出する。
【００３０】
また、例えば、画像形成内容通知手段１８０によって項目２８０：“イベント名称”、“開催日時”、“ユーザー名”、“成績１”が通知される場合、項目位置抽出手段２００は、項目位置記憶手段１９０から、項目２８０に対応する位置識別情報３００：“前面上部”、“前面中央”、“背中上部”、“背中中央”を抽出する。
【００３１】
画像形成指示手段２１０は、項目２８０に対応する情報２９０と、項目位置抽出手段２００によって抽出される情報２９０に対応する位置識別情報３００と、を画像形成装置１３０へ通知する。
【００３２】
画像形成指示手段２１０は、項目２８０に対応する情報２９０と、依頼受付手段１６０によって受け付けた情報２９０に対応する位置３００と、を画像形成装置１３０へ通知する形態としても良い。
【００３３】
図２で示すように、画像形成装置１３０は、画像形成手段２２０を有する。画像形成装置１３０は、イベント２５０の会場周辺に設置され、移設可能な形態であることが好適である。そうすることによって、画像形成システム１００は、イベント２５０の会場近くで、ユーザー３１０の購買意欲を掻き立てる希少な機会に関連するデザインとして、イベント２５０に参加した記念となる情報を掲載した媒体２７０の製造・販売を行うことによって、新たなビジネスの機会を創出することができる。
【００３４】
画像形成手段２２０は、画像形成指示手段２１０によって通知される情報に基づいて、情報２９０に対応する位置識別情報３００で表される媒体２７０上の位置へ、情報２９０の画像形成を行う。
【００３５】
図６及び７は、画像形成手段２２０による処理の一例を説明するための図である。図６及び７は、媒体２７０としてＴシャツを使用する例であるが、媒体２７０は、画像形成手段２２０によって画像形成が可能なものであれば、特に限定されない。図６で示すように、画像形成指示手段２１０によって情報２９０：“プロ野球公式戦  開幕戦”、“２０１９年３月２９日”、“ベイスターズ”、“ドラゴンズ”、“８”、“１”それぞれが通知される場合、画像形成手段２２０は、Ｔシャツ２７０上の位置識別情報３００：“背中最上部”、“背中上部”、“背中中央最右”、“背中中央最左”、“背中中央右”、“背中中央左”それぞれで表される位置へ、それら情報２９０を画像形成する。
【００３６】
また、図７で示すように、画像形成指示手段２１０によって情報２９０：“東京マラソン２０１９”、“２０１９年３月３日”、“佐藤一男”、“３時間２９分４５秒”それぞれが通知される場合、画像形成手段２２０は、Ｔシャツ２７０上の位置識別情報３００：“前面上部”、“前面中央”、“背中上部”、“背中中央”それぞれで表される位置へ、それら情報２９０を画像形成する。
【００３７】
なお、画像形成指示手段２１０及び画像形成手段２２０によって、画像形成される情報２９０のフォント、大きさ、デザイン、言語変換（例えば、日本語→英語）等が特定される形態としても良く、その特定方法は特に限定しない。
【００３８】
上記のような動作原理に基づいて、画像形成システム１００は、ユーザー３１０の購買意欲を掻き立てるような希少な機会２５０に即座に対応して、新たな収益機会を創出すると共に、予め製品２７０を用意する場合に生じ易い在庫リスクを低減させる。
（本実施の形態に係る画像形成システムを構成する装置のハードウエア構成）
【００３９】
図８乃至１０を用いて、装置１１０、１２０、１３０のハードウエア構成例について説明する。図８乃至１０は、装置１１０、１２０、１３０のハードウエア構成の一例を示す図である。図８乃至１０で示すように、装置１１０、１２０、１３０は、ＣＰＵ（Central Processing Unit）４１０、５１０、６１０、ＲＯＭ（Read-Only Memory）４２０、５２０、６２０、ＲＡＭ（Random Access Memory）４３０、５３０、６３０、補助記憶装置４４０、５０、６４０、通信Ｉ／Ｆ４５０、５５０、６５０、入力装置４６０、５６０、６６０、出力装置４７０、５７０、２２０、記録媒体Ｉ／Ｆ４８０、５８０、６８０を有する。
【００４０】
ＣＰＵ４１０、５１０、６１０は、ＲＯＭ４２０、５２０、６２０に記憶されたプログラムを実行する装置であり、ＲＡＭ４３０、５３０、６３０に展開（ロード）されたデータを、プログラムの命令に従って演算処理し、装置１１０、１２０、１３０全体を制御する。ＲＯＭ４２０、５２０、６２０は、ＣＰＵ４１０、５１０、６１０が実行するプログラムやデータを記憶している。ＲＡＭ４３０、５３０、６３０は、ＣＰＵ４１０、５１０、６１０でＲＯＭ４２０、５２０、６２０に記憶されたプログラムを実行する際に、実行するプログラムやデータが展開（ロード）され、演算の間、演算データを一時的に保持する。
【００４１】
補助記憶装置４４０、５４０、６４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００４２】
通信Ｉ／Ｆ４５０、５５０、６５０は、有線・無線ＬＡＮ（Local Area Network）、インターネットなどの通信ネットワーク３６０に接続し、通信機能を提供する他装置とデータの授受を行うためのインターフェースである。
【００４３】
入力装置４６０、５６０、６６０は、キーボードやタッチパネルなど装置１１０、１２０、１３０にデータ入力を行うための装置である。出力装置４７０、５７０は、ＬＣＤ（Liquid Crystal Display）等で構成される装置であり、装置１１０、１２０が有する機能をユーザーが利用する際や各種設定を行う際のユーザーインターフェースとして機能する装置である。
【００４４】
記録媒体Ｉ／Ｆ４８０、５８０、６８０は、ＣＤ−ＲＯＭ、ＤＶＤ−ＲＯＭ、ＵＳＢメモリなどの記録媒体４９０、５９０、６９０とデータの送受信を行うためのインターフェースである。
【００４５】
本装置１００が有する各手段は、ＣＰＵ４１０、５１０、６１０が、ＲＯＭ４２０、５２０、６２０又は補助記憶装置４４０、５４０、６４０に記憶された各手段に対応するプログラムを実行することにより実現される形態としても良い。また、装置１１０、１２０、１３０が有する各手段は、当該各手段に関する処理をハードウエアとして実現される形態としても良い。また、通信Ｉ／Ｆ４５０、５５０、６５０を介して外部サーバー装置から本発明に係るプログラムを読み込ませたり、記録媒体Ｉ／Ｆ４８０、５８０、６８０を介して記録媒体４９０、５９０、６９０から本発明に係るプログラムを読み込ませたりして、装置１１０、１２０、１３０に当該プログラムを実行させる形態としても良い。
（本実施の形態に係る画像形成システムによる処理例）
【００４６】
図１１を用いて、画像形成システム１００による画像形成処理の流れを説明する。図１１は、画像形成システム１００による画像形成処理の一例の流れを示すフローチャートである。
【００４７】
Ｓ１０で依頼受付手段１６０が、ユーザー識別情報３２０及び画像形成装置１３０に媒体２７０上に画像形成させる項目２８０を含む画像形成の依頼をユーザー３１０から受け付ける。項目２８０は、例えば、イベント２５０の名称、開催場所、開催日時、プレイヤー、スコア、ユーザー２５０の氏名、成績等、イベント情報記憶手段１４０及びユーザー情報記憶手段１５０に記憶される情報の項目（ラベル、見出し）を識別する情報である。
【００４８】
依頼受付手段１６０は、項目２８０と、項目２８０に対応する情報２９０を媒体２７０上において配置させる位置３００と、を含む画像形成の依頼を受け付ける形態としても良い。ユーザー２５０が媒体２７０上の配置デザインを行う構成である。
【００４９】
Ｓ２０で画像形成内容抽出手段１７０が、項目２８０に対応する情報２９０を、イベント情報記憶手段１４０のイベント説明情報２６０及びユーザー情報記憶手段１５０のユーザー個別情報３３０から抽出する。画像形成内容抽出手段１７０は、ユーザー識別情報３２０に基づいて、項目２８０に対応する情報２９０をユーザー情報記憶手段１５０のユーザー個別情報３３０から抽出する。
【００５０】
図２及び３で示すように、画像形成内容抽出手段１７０は、項目２８０：“イベント名称”に対応する情報２９０として、例えば、“プロ野球公式戦  開幕戦”、“プロ野球公式戦  第２戦”、“東京マラソン２０１９”を抽出する。また、画像形成内容抽出手段１７０は、例えば、ユーザー識別情報３２０：“ＡＢＣ１２３４”に基づいて、項目２８０：“ユーザー名”に対応する情報２９０として、例えば、“佐藤一男”、項目２８０：“成績１”に対応する情報２９０として、“３時間２９分４５秒”を抽出する。
【００５１】
Ｓ３０で画像形成内容通知手段１８０が、項目２８０と、Ｓ２０において抽出された項目２８０に対応する情報２９０と、を第１サーバー装置１１０へ通知する。画像形成内容通知手段１８０は、項目２８０と、項目２８０に対応する情報２９０と、情報２９０を媒体２７０上において配置させる位置３００と、を第１サーバー装置１１０へ通知する形態としても良い。
【００５２】
Ｓ４０で項目位置抽出手段２００が、Ｓ３０において通知される項目２８０に基づいて、項目２８０に対応する情報２９０に関する位置識別情報３００を項目位置記憶手段１９０から抽出する。
【００５３】
図５で示すように、例えば、画像形成内容通知手段１８０によって項目２８０：“開催日時”、“プレイヤー１”、“プレイヤー２”、“スコア１”、“スコア２”が通知される場合、項目位置抽出手段２００は、項目位置記憶手段１９０から、項目２８０に対応する位置識別情報３００：“背中上部”、“背中中央最右”、“背中中央最左”、“背中中央右”、“背中中央左”を抽出する。
【００５４】
また、例えば、画像形成内容通知手段１８０によって項目２８０：“イベント名称”、“開催日時”、“ユーザー名”、“成績１”が通知される場合、項目位置抽出手段２００は、項目位置記憶手段１９０から、項目２８０に対応する位置識別情報３００：“前面上部”、“全面中央”、“背中上部”、“背中中央”を抽出する。
【００５５】
Ｓ５０で画像形成指示手段２１０が、項目２８０に対応する情報２９０と、Ｓ４０において抽出される情報２９０に対応する位置識別情報３００と、を画像形成装置１３０へ通知する。画像形成指示手段２１０は、項目２８０に対応する情報２９０と、Ｓ１０において受け付ける情報２９０に対応する位置３００と、を画像形成装置１３０へ通知する形態としても良い。ユーザー２５０が媒体２７０上の配置デザインを行う構成である。
【００５６】
図２で示すように、画像形成装置１３０は、画像形成手段２２０を有する。画像形成装置１３０は、イベント２５０の会場周辺に設置され、移設可能な形態であることが好適である。そうすることによって、画像形成システム１００は、イベント２５０の会場近くで、ユーザー３１０の購買意欲を掻き立てる希少な機会に関連するデザインとして、イベント２５０に参加した記念となる情報を掲載した媒体２７０の製造・販売を行うことによって、新たなビジネスの機会を創出することができる。
【００５７】
Ｓ６０で画像形成手段２２０が、Ｓ５０において通知される情報に基づいて、情報２９０に対応する位置識別情報３００で表される媒体２７０上の位置へ、情報２９０の画像形成を行う。
【００５８】
図６で示すように、例えば、Ｓ５０において情報２９０：“プロ野球公式戦  開幕戦”、“２０１９年３月２９日”、“ベイスターズ”、“ドラゴンズ”、“８”、“１”それぞれが通知される場合、画像形成手段２２０は、Ｔシャツ２７０上の位置識別情報３００：“背中最上部”、“背中上部”、“背中中央最右”、“背中中央最左”、“背中中央右”、“背中中央左”それぞれで表される位置へ、それら情報２９０を画像形成する。
【００５９】
また、図７で示すように、例えば、Ｓ５０において情報２９０：“東京マラソン２０１９”、“２０１９年３月３日”、“佐藤一男”、“３時間２９分４５秒”それぞれが通知される場合、画像形成手段２２０は、Ｔシャツ２７０上の位置識別情報３００：“前面上部”、“前面中央”、“背中上部”、“背中中央”それぞれで表される位置へ、それら情報２９０を画像形成する。
【００６０】
なお、画像形成指示手段２１０及び画像形成手段２２０によって、画像形成される情報２９０のフォント、大きさ、デザイン、言語変換（例えば、日本語から英語への翻訳）等が特定される形態としても良く、その特定方法は特に限定しない。
【００６１】
上記のような処理を行うことによって、画像形成システム１００は、ユーザー３１０の購買意欲を掻き立てるような希少な機会２５０に即座に対応して、新たな収益機会を創出すると共に、予め製品２７０を用意する場合に生じ易い在庫リスクを低減させる。
【００６２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６３】
１００  画像形成システム
１１０  第１サーバー装置
１２０  第２サーバー装置
１３０  画像形成装置
１４０  イベント情報記憶手段
１５０  ユーザー情報記憶手段
１６０  依頼受付手段
１７０  画像形成内容抽出手段
１８０  画像形成内容通知手段
１９０  項目位置記憶手段
２００  項目位置抽出手段
２１０  画像形成指示手段
２２０  画像形成手段
２５０  イベント
２６０  イベント説明情報
２７０  印刷媒体
２８０  印刷対象項目
２９０  印刷対象項目の項目値
３００  位置識別情報
３１０  ユーザー
３２０  ユーザー識別情報
３３０  ユーザー個別情報
４１０、５１０、６１０  ＣＰＵ
４２０、５２０、６２０  ＲＯＭ
４３０、５３０、６３０  ＲＡＭ
４４０、５４０、６４０  補助記憶装置
４５０、５５０、６５０  通信インターフェース
４６０、５６０、６６０  入力装置
４７０、５７０  出力装置
４８０、５８０、６８０  記憶媒体インターフェース
４９０、５９０、６９０  記憶媒体
【図１】
2020194308.tif 000003
【図２】
2020194308.tif 000004
【図３】
2020194308.tif 000005
【図４】
2020194308.tif 000006
【図５】
2020194308.tif 000007
【図６】
2020194308.tif 000008
【図７】
2020194308.tif 000009
【図８】
2020194308.tif 000010
【図９】
2020194308.tif 000011
【図１０】
2020194308.tif 000012
【図１１】
2020194308.tif 000013